(57)【特許請求の範囲】
【請求項１】
感光体を備える回転ドラムと、
前記感光体を第１の極性に帯電する帯電装置と、
前記感光体と対向して設けられ、前記帯電装置で前記第１の極性に帯電された前記感光体上に光を出射することで前記感光体の帯電電位を、前記第１の極性で、且つ、絶対値を低下させて静電潜像を形成する露光手段と、
前記露光手段により形成された静電潜像に前記第１の極性に帯電させられる帯電微粒子を付着させて現像する現像装置と
を備え、前記現像装置で付着された前記帯電微粒子を記録紙に転写形成する電子写真装置において、
前記露光手段の出射光軸線の近傍で、且つ該出射光軸線に対し前記回転ドラムの回転方向上流側に設けられた第１電極部材と、
前記出射光軸線の近傍で、且つ前記出射光軸線に対し前記回転ドラムの回転方向下流側に設けられた第２電極部材と、
前記静電潜像を形成するとき、
前記第１の極性であり、且つ、前記感光体の帯電電位より絶対値で大きい第１電圧を前記第１電極部材に印加する第１の電源装置と、
前記第１の極性であり、且つ、前記第１電圧より絶対値で小さく、且つ、前記感光体において前記露光手段により露光された部分の帯電電位より絶対値で大きい第２電圧を前記第２電極部材に印加する第２の電源装置と
を備えることを特徴とする電子写真装置。
【請求項２】
前記第１電圧は、前記帯電装置に印加する電圧であり、
前記第２電圧は、前記現像装置に印加する電圧である
ことを特徴とする請求項１に記載の電子写真装置。
【発明の詳細な説明】
【０００１】
【発明の属する技術分野】
この発明は、プリンタや複写機等の電子写真記録を行なうための電子写真装置、及びトナー汚れを防止する電極を設けた露光装置に関する。
【０００２】
【従来の技術】
従来から、電子写真記録では、帯電、露光、現像、転写、定着、クリーニングの各記録プロセスによって画像を形成する方法が良く知られている。例えば、特開昭６３−２０８８７８号公報（以下、文献という。）には、被帯電体面を接触帯電方式で常に安定に均一に帯電処理するようにした電子写真装置の発明が開示されている。
【０００３】
また、露光装置としては、一般に半導体レーザやＬＥＤ光源が用いられている。露光装置に半導体レーザーを使用した場合には、レーザ光線を帯電面に走査させるためのポリゴンミラーやｆθレンズなどが必要になり、電子写真装置が大型化してしまう。一方、ＬＥＤ光源を使用した場合には、セルフォックレンズ等と組み合わせることが可能であって、装置の小型化に有利である。
【０００４】
図９は、従来の露光装置の一例の概略を示す構成説明図である。
【０００５】
ＬＥＤプリントヘッド１０は、複数の発光部を長尺に配列したＬＥＤアレイ１と、それらを搭載するＬＥＤ基板２と、この基板２を支えるベース３と、長尺の発光部と平行な軸廻りで回転する感光ドラム４上にＬＥＤアレイ１の像を結ぶセルフォックレンズアレイ（商品名、以下、ＳＬＡという。）５と、それを支えるＳＬΑホルダ６とから構成されている。
【０００６】
露光プロセスにおいて、ＬＥＤプリントヘッド１０は、図示しないプリンタ本体からの印刷データを受け取りＬＥＤアレイ１を点灯する。点灯したＬＥＤ発光点の像がＳＬΑ５を通じて、一定の電位に帯電された感光ドラム４上に結ばれることによって、感光ドラム４上には静電潜像が形成される。その後の現像プロセスでは、着色された帯電微粒子（トナー）を静電潜像の静電力によって付着させて静電潜像を現像する。さらに、感光ドラム４が回転して転写プロセスにおいて記録媒体に転写され、定着プロセスを経て画像が形成される。転写後になお感光ドラム４上に残留したトナーは、クリーニングプロセスで除去される。
【０００７】
このようなＬＥＤプリントヘッド１０は、プリンタ装置を小型化するうえでは有効であり、上述したＬＥＤアレイ１は、出射光を感光ドラム４上に結像させるために、ＳＬΑ５のレンズ面と感光ドラム４の感光体面とが非常に近い距離（２〜５［mm］）に配置されている。
【０００８】
【発明が解決しようとする課題】
上述した電子写真装置では、転写プロセスで感光ドラム４から記録媒体にトナーが完全に転移せず、感光ドラム４上にトナーが残留する場合がある。転写プロセスで残留したトナーは、その後に感光ドラム４が回転すると、帯電部を経てＬＥＤプリントヘッド１０で構成される露光部まで運搬される。
【０００９】
このとき、負に帯電された感光ドラム４上の感光体と、接地電位にあるＬＥＤプリントヘッド１０との間の電位分布に応じて、残留トナーが飛翔してＳＬΑ５のレンズ面に付着する。ＳＬΑ５のレンズ面に残留トナーがＳＬΑ５に付着すると、ＬＥＤプリントヘッド１０の光量が低下するだけでなく、電子写真装置の印字品質の劣化をも招くという不都合が生じる。
【００１０】
この発明は、上述のような課題を解決するためになされたもので、その目的は、安定した印字品質を維持できる電子写真装置を提供することである。
【００１１】
また、この発明の他の目的は、残留トナーによる汚れを防止する電極を設けた露光装置を提供することである。
【００１２】
【課題を解決するための手段】
本発明による電子写真装置は、感光体を備える回転ドラムと、前記感光体を第１の極性に帯電する帯電装置と、前記感光体と対向して設けられ、前記帯電装置で前記第１の極性に帯電された前記感光体上に光を出射することで前記感光体の帯電電位を、前記第１の極性で、且つ、絶対値を低下させて静電潜像を形成する露光手段と、前記露光手段により形成された静電潜像に前記第１の極性に帯電させられる帯電微粒子を付着させて現像する現像装置とを備え、前記現像装置で付着された前記帯電微粒子を記録紙に転写形成する電子写真装置において、
前記露光手段の出射光軸線の近傍で、且つ該出射光軸線に対し前記回転ドラムの回転方向上流側に設けられた第１電極部材と、前記出射光軸線の近傍で、且つ前記出射光軸線に対し前記回転ドラムの回転方向下流側に設けられた第２電極部材と、前記静電潜像を形成するとき、前記第１の極性であり、且つ、前記感光体の帯電電位より絶対値で大きい第１電圧を前記第１電極部材に印加する第１の電源装置と、前記第１の極性であり、且つ、前記第１電圧より絶対値で小さく、且つ、前記感光体において前記露光手段により露光された部分の帯電電位より絶対値で大きい第２電圧を前記第２電極部材に印加する第２の電源装置とを備えることを特徴とする。
【００１６】
【発明の実施の形態】
以下、添付した図面を参照して、この発明の実施の形態を説明する。
【００１７】
実施の形態１．
図１は、この発明の電極装置を有する電子写真装置を示す概略構成図である。
【００１８】
１０１は静電潜像担持体、１０２は金属シャフ卜１０２ａと半導電性ゴム層１０２ｂによって構成される帯電装置、１０３は帯電用高圧電源、１０４はＳＬＡ（セルフォックレンズアレイ）１０４ａを有する露光装置、１０５は現像装置である。現像装置１０５はトナ一担持体１０６を備え、そこには所定量のトナー１０７が充填されている。
【００１９】
ドラム状に形成された静電潜像担持体１０１は、図示しない駆動手段により、図示矢印ａ方向に一定周速度で回転するものである。この静電潜像担持体１０１は導電性支持体１０１ａ上に光導電層１０１ｂを設けたものである。光導電層１０１ｂには例えば有機系感光体が用いられるが、セレン感光体、酸化亜鉛感光体、アモルファスシリコン感光体など、いずれのものでも使用可能である。露光装置１０４としては、前述した図９に示すＬＥＤアレイ１とセルフォックレンズアレイ５とを組み合わせたもの以外に、レーザ光源に作像光学系を組み合わせたものなども利用できる。
【００２０】
１０８は紙カセット、１０９は記録紙、１１０は給紙ロール、１１１は一対の送紙ロール、１１２は転写ローラ、１１３は転写用高圧電源である。また、１１４はクリーニングローラ、１１５はクリーニング用高圧電源、１１６は発熱ロール１１６ａと加圧ロール１１６ｂによって構成されている定着装置、１１７はＬＥＤプリントヘッドのトナー汚れ防止電極（Ｉ）、１１８は電極１１７に印加するための外部高圧電源、１１９はトナー汚れ防止電極（Ｉ）と同一平面内にあって、露光装置１０４の光軸をはさんで相対向した位置に配置されたトナー汚れ防止電極（II）、１２０は電極１１９に印加する外部高圧電源である。
【００２１】
つぎに、図１に示す電子写真装置の動作について説明する。
【００２２】
上述したように、電子写真記録では、帯電、露光、現像、転写、定着、クリーニングの各プロセスによって画像を記録しており、以下では、画像形成プロセスをこの順に説明する。
【００２３】
初めに、静電潜像担持体１０１の表面に接触もしくは圧接して設けられた帯電手段としての帯電装置１０２を用いて、半導電性ゴム層１０２ｂを一様均一に帯電させる。この実施の形態の帯電プロセスでは、帯電装置１０２の帯電印加電圧（約−１３５０［Ｖ］）を利用して、静電潜像担持体１０１を約−８００［Ｖ］に一様均一に帯電させている。
【００２４】
露光プロセスでは、静電潜像担持体１０１に対向して設けられた露光装置１０４が、露光手段として画像信号に対応した光を照射して、静電潜像担持体１０１に静電潜像が形成される。この実施の形態で使用する静電潜像担持体１０１においては、上述したように−８００［Ｖ］に帯電させた状態の静電潜像担持体１０１のうち、露光装置１０４によって十分露光された部分の帯電残留電位は約−５０［Ｖ］であった。
【００２５】
次に、静電潜像担持体１０１に密着して、或いは静電潜像担持体１０１とは微小空間距離をおいて現像装置１０５が設けられおり、この現像装置１０５内には複数の搬送ローラからなるトナー担持体１０６が配置されており、そこに収容されているトナー１０７が静電潜像担持体１０１に選択的に付着される。すなわち、トナー担持体１０６はトナー１０７を吸着して、これを図示矢印方向に搬送し、静電潜像担持体１０１上に形成された静電潜像に対応して現像するものである。この実施の形態では反転現像の場合を示し、静電潜像担持体１０１の導電性支持体１０１ａとトナー担持体１０６との間には、図示しない電源によってバイアス電圧が印加されている。この場合に、トナー担持体１０６に印加するバイアス電圧は約−４００［Ｖ］である。このような構成で、トナー担持体１０６と静電潜像担持体１０１の空間に、静電潜像担持体１０１に形成された静電潜像に伴う電気力線が発生するため、トナー担持体１０６上で負に帯電したトナーは静電気力により、静電潜像担持体１０１上の露光領域に付着して現像され、トナー像が形成される。
【００２６】
上述した現像装置１０５による反転現像方法には、二成分磁気ブラシ現像器、一成分磁気ブラシ現像器、一成分非磁性現像器など、公知の技術のいずれも利用できる。
【００２７】
ここで、紙カセット１０８に収容された記録紙１０９は、給紙ロール１１０により紙カセット１０８から取り出され、回転が停止された送紙ロール１１１に送られることで、記録紙１０９のスキュウが矯正される。その後、送紙ロール１１０が起動し、記録紙１０９は転写部へと送られ、静電潜像担持体１０１に対向して設けられた転写装置によつて、静電潜像担持体１０１上に形成されているトナー像が記録紙１０９に転写される。
【００２８】
その後、記録紙１０９は、発熱ロール１１６ａと加圧ロール１１６ｂとで構成された定着装置１１６へ搬送される。ここでは、発熱ロール１１６ａの熱がトナー１０７を溶融し、加圧ロール１１６ｂの作用により、記録紙１０９の繊維間にトナー担持体１０６が浸透し、記録紙１０９への画像の定着が行われる。画像が定着された記録紙１０９は、装置外部へ送出される。
【００２９】
一方、転写後の静電潜像担持体１０１には若干のトナー１０７が残留する場合がある。そこで、静電潜像担持体１０１に当接して設けられたクリーニングローラ１１４によって、この残留トナー１０７を除去している。しかし、ローラ１１４と静電潜像担持体１０１との圧接力の関係から、クリーニングローラ１１４を通過した後も静電潜像担持体１０１上にトナー１０７が、なおも残留することがある。このように残留したトナー１０７が帯電プロセス領域から露光プロセス領域に運搬されると、残留トナー１０７は露光装置１０４と静電潜像担持体１０１との間に形成された電位分布に応じた力を受けて飛翔し、露光装置１０４の光出射面に付着する。
【００３０】
そこで、この実施の形態１では、露光装置１０４と静電潜像担持体１０１間の、露光装置１０４の出射光軸を挟んで相対向した位置であって、出射光軸と直交する平面内に、一対のトナー汚れ防止電極１１７，１１９を配置している。このうち電極１１７には外部高圧電源１１８が接続され、他方の電極１１９には外部高圧電源１２０が接続される。これらの各電極１１７，１１９は、静電潜像担持体１０１に残留したトナー１０７の飛翔方向を光出射面（レンズ表面）から逸すように電位分布を形成する。このように、露光装置の卜ナー汚れ防止に必要な電位を電極１１７，１１９に与えることによって、静電潜像担持体１０１が繰り返し利用された場合でも、露光装置１０４のレンズ表面のトナ一汚れを防止して常に安定した印字品質を確保するようにしている。
【００３１】
つぎに、上述した露光装置１０４における電極１１７，１１９のトナー汚れ防止作用について、詳細に説明する。
【００３２】
図２〜図６は、露光装置と静電潜像担持体との間の電位分布（破線）、或いは電気力線（実線の矢印）を示す図である。
【００３３】
電極１１７，１１９は露光装置１０４と静電潜像担持体１０１との間に位置しており、電極１１７，１１９の間は２〜３［mm］の間隔で互いに対向している。また、両電極１１７，１１９の長手方向の長さは、ＳＬＡ１０４ａの長手方向より長く、静電潜像担持体１０１の長手方向の長さと同等かそれ以上の長さに形成されている。電極１１７，１１９は、厚さ０．２〜０．４［mm］のアルミ等導電性の金属板で構成されており、それらの表面では光が反射しないようなコーティング加工された構造のものが望ましい。
【００３４】
ここでは、上述した２つの電極１１７，１１９に接続されている外部高圧電源１１８，１２０の電圧を変化させて、７通りの実験を行った。以下に、露光装置１０４のトナー汚れ状態について説明する。
【００３５】
これらの実験では、いずれも静電潜像担持体１０１を上述した反転現像と同じく、−８００［Ｖ］に帯電させた。その時の結果を、表１に示す。「汚れ状態」の評価のうち、○は露光装置１０４が全く汚れない状態、Δは汚れているが光量低下や印字品位の劣化を招くほどではない状態、×は光量低下・印字品位劣化を招くほど汚れた状態であることを表す。
【００３６】
【表１】
0003998339.tif 000002
【００３７】
次に、この表の各実験例について説明する。
【００３８】
第１例では、表１に示すように、露光装置１０４のレンズ（ＳＬＡ１０４ａ）のトナー汚れ防止電極１１７，１１９に＋４００［Ｖ］の電圧を印加した。残留トナー１０７は大半がマイナスに帯電していることから、接地電位にある露光装置１０４のフレーム方向に残留トナー１０７を引付ける電位分布が形成され、露光装置１０４はトナー汚れを引き起こした。さらに、トナー汚れ防止電極１１７，１１９にも多量のトナー付着があった。
【００３９】
第２例では、露光装置１０４のトナー汚れ防止電極１１７，１１９を±０［Ｖ］（グランドレベル）にした。このときも、第１例の場合と同様に、露光装置１０４の方向に残留トナー１０７を引付ける電位分布が形成され、露光装置１０４はトナー汚れを引き起こした。さらに、トナー汚れ防止電極１１７，１１９にも多量のトナー付着があった。
【００４０】
第３例は、露光装置１０４のトナー汚れ防止電極１１７，１１９を同じマイナス電圧（−１３５０［Ｖ］）を印加した場合である。この場合に、露光装置１０４と静電潜像担持体１０１間の電位分布は、図２に示すように、露光された部分（−５０［Ｖ］）と未露光部分（−８００［Ｖ］）との境から、ＳＬＡ１０４ａの中心に向う電位の谷が形成される。したがって、露光された静電潜像担持体１０１上の残留トナー１０７が未露光部分に向って飛翔し始めると、その一部が図の太線矢印に示すように、トナー汚れ防止電極１１７，１１９間に形成された間隙を抜けて飛翔を続けて、露光装置１０４のＳＬＡ１０４ａの中心にトナー１０７が付着した。その結果、光量劣化・印字劣化が引き起こされた。
【００４１】
第４例では、第３例の場合よりは小さな、マイナス電圧（４００［Ｖ］）を露光装置１０４のトナー汚れ防止電極１１７，１１９に印加した。第３例の実験と比較すると、露光装置１０４の残留トナー１０７による汚れは少ないが、光量劣化・印字劣化を引き起こした。露光装置１０４のトナー汚れ量が少なくなった理由は次のように推測される。すなわち、図３に示すように、静電潜像担持体１０１と露光装置１０４間で電気力線分布が鋭角な山型に形成されいる。そこで、露光装置１０４に向かう電気力線に沿って、その矢印方向とは反対方向に飛翔してきたトナー１０７が露光装置付近で曲がり切れずに露光装置１０４に到達して、トナー汚れを引き起こすのである。第３例の場合では、飛翔したトナー１０７は全て露光装置１０４に向かっているのに対して、第４例の場合には曲がり切らなかったトナー１０７のみが露光装置１０４に付着する。その結果、トナー汚れは少なくなった。
【００４２】
第５例では、帯電装置１０２側のトナー汚れ防止電極１１７に印加する電圧（−４００［Ｖ］）に対して、現像装置１０５側の露光装置１０４のトナー汚れ防止電極１１９に印加する電圧をマイナス方向に高く（−１３５０［Ｖ］）した。図４に示すように、露光装置１０４と現像装置１０５側の静電潜像担持体１０１との間の電位分布は、第３例の状態と同様に、電気力線が露光装置１０４の方向を向いてしまって、露光装置１０４はトナー汚れを引き起こした。
【００４３】
第６例では、帯電装置１０２側のトナー汚れ防止電極１１７に印加する電圧（−１３５０［Ｖ］）に対して、現像装置１０５側のトナー汚れ防止電極１１９に印加する電圧をマイナス方向に低く（−４００［Ｖ］）した。この場合には、露光装置１０４の光量劣化が見られなくなった。図５に示すように、露光装置１０４と静電潜像担持体１０１との間の電気力線は、露光装置１０４の光出射面近傍では、その光軸方向に対して傾斜するように分布している。その結果、静電潜像担持体１０１上の残留トナー１０７や浮遊している残留トナー１０７は、露光装置１０４と静電潜像担持体１０１との間の光出射面近傍では、電気力線の矢印方向とは反対に、光出射面に並行して飛翔して、露光装置１０４に向わないような電位勾配の電界が形成されるからである。しかし、露光装置１０４の一部であるＳＬＡ１０４ａの側板面に残留トナー１０７が付着し、電子写真装置の置かれている環境によってはＳＬＡ１０４ａのレンズ素子にトナー１０７が付着してしまう可能性が残っている。
【００４４】
第７例も、帯電装置１０２側のトナー汚れ防止電極１１７に印加する電圧（−１３５０［Ｖ］）に対して、現像装置１０５側のトナー汚れ防止電極１１９に印加する電圧をマイナス方向に小さい電圧としている点では、第６例の実験と同様である。ただし、トナー汚れ防止電極１１９に印加する電圧をマイナス側に低い電圧値（例えば、−２００［Ｖ］）することによって、露光装置１０４の光出射面と静電潜像担持体１０１の間の電位が、第６例の場合に比較して急勾配に形成される。この場合には、多くの電気力線が光軸に対してほぼ直交する方向を向くので、トナーがレンズ方向に飛翔しにくくなる。そのため、露光装置１０４のＳＬＡ１０４ａにはトナー１０７は全く付かず、露光装置１０４は光量劣化を引き起こさない。
【００４５】
なお、図６には、トナー汚れ防止電極を設けていない従来装置の電気力線を示している。この場合には、電気力線が露光部分（−５０［Ｖ］）から未露光部分（−８００［Ｖ］）に向う放物線として形成され、残留トナー１０７は電気力線に沿って、矢印とは反対方向に飛翔する。その結果、残留トナー１０７がＳＬＡ１０４ａに付着し、レンズ汚れを引き起こす。
【００４６】
以上、詳細に説明したように、この発明の実施の形態１では、帯電装置１０２側に設けたトナー汚れ防止電極１１７に印加する外部高圧電源１１８の電圧をマイナス電位に設定し、さらに現像装置１０５側に設けたトナー汚れ防止電極１１９に印加する外部高圧電源１２０の電圧と比較して、マイナス側で大きく設定している。これにより、２つの電極１１７，１１９が残留トナーの帯電極性と同極性になり、電極にトナーが付着しにくくなって、そこにトナーが蓄積されない。この結果、露光装置１０４としてＬＥＤ光源を用いた電子写真装置を連続使用したときでも、露光装置１０４はトナー１０７によって汚染されず、安定した印字品位を保った状態で使用できる。また、環境変化に対しても露光装置１０４がトナー１０７に汚染されることがなくなった。
【００４７】
実施の形態２．
図７は、この発明の別の電極装置を有する電子写真装置を示す概略構成図である。
【００４８】
図７において、第１の実施の形態の構成と異なる点は、第１の実施の形態で使用したトナー汚れ防止電極１１７を帯電用高圧電源１０３に接続したこと、及びトナー汚れ防止電極１１９を現像装置１０５のバイアス供給電源（図示せず）と接続したことである。その他の構成は、第１の実施の形態と同じであり、対応する部材には同一の符号を付け、説明を省略する。
【００４９】
図７に示す装置も、基本的には第１の実施の形態の動作と同じであるが、ここでは、異なる点のみを説明する。
【００５０】
第１の実施の形態と同様に、転写後の静電潜像担持体１０１にトナー１０７が残留し、クリーニングローラで完全に残留トナー１０７が除去できず、帯電・露光部に残留トナー１０７が運搬されてくる。そのとき、帯電用高圧電源１０３に接続されたトナー汚れ防止電極１１７と、図示しない現像装置１０５のバイアス電圧供給電源に接続されたトナー汚れ防止電極１１９とによって、露光装置１０４と静電潜像担持体１０１との間の電位分布を制御する。これによって、露光装置１０４のレンズ表面のトナー汚れが防止できる。
【００５１】
このように、トナー汚れ防止電極１１７を帯電用高圧電源１０３に接続し、トナー汚れ防止電極１１９を現像装置１０５のバイアス電圧印加電源に接続した場合の実験例（第８例）、及び反対に接続した第９例における、露光装置１０４の汚れ状態を、以下の［表２］に示す。○は露光装置１０４が全く汚れない状態、×は光量低下や印字品位劣化を招くほど汚れ状態であることを表す。
【００５２】
なお、帯電用高圧電源１０３は−１３５０［Ｖ］で定電圧制御されており、現像装置１０５のバイアス電圧供給電源は約−４００［Ｖ］に定電圧制御されている。
【００５３】
【表２】
0003998339.tif 000003
【００５４】
次に、この表２の各実験例について説明する。
【００５５】
第８例は、帯電装置１０２側に配置されたトナー汚れ防止電極１１７に印加した電圧に対して、現像装置１０５側に配置したトナー汚れ防止電極１１９にマイナス方向に低い電圧を印加した場合である。このとき、露光装置１０４と静電潜像担持体１０１との間の電気力線が、露光装置１０４の光軸方向に垂直に分布するように電界が形成される。これは、実施の形態１で説明した、図５の場合と同様であって、静電潜像担持体１０１上の残留トナー１０７や浮遊している残留トナー１０７は、露光装置１０４と静電潜像担持体１０１との間を光出射面と平行に飛翔し、露光装置１０４に向う方向には飛翔しない。これにより露光装置１０４の残留トナー１０７による光量劣化が防止できた。
【００５６】
一方、トナー汚れ防止電極１１７，１１９への印加電圧を第９例に示すように、第８例の場合とは反対に印加した場合、露光装置１０４のＳＬＡ１０４ａの表面には卜ナーが付着し、露光装置１０４の光量が劣化し、印字品質も劣化した。この場合の電圧印加方法では、露光装置１０４と静電潜像担持体１０１との間で露光装置１０４の光軸に対して平行に電気力線が分布して、光軸に沿って残留トナー１０７が飛翔したものと推測できる。
【００５７】
以上、詳細に説明したように、この発明の実施の形態２では、既存の帯電装置電源１０３、及び現像装置１０５のバイアス電源を、それぞれトナ一汚れ防止電極１１７、１１９と接続して、露光装置１０４と静電潜像担持体１０１との間の電位分布を制御することにより、露光装置１０４のトナー汚れが防止できた。
【００５８】
また、第２の実施の形態のものは、第１の実施の形態と比較して、既存の電源装置を使用することにより、低コスト化と小型化を図るうえで有利である。
【００５９】
実施の形態３．
図８は、この発明のトナー汚れ防止電極を備えた露光装置を示す概略構成図である。
【００６０】
第１の実施の形態の電子写真装置における電極と異なる点は、このトナー汚れ防止電極１１７とトナー汚れ防止電極１１９を光軸１０４ｂに対して互いに非対称な位置に所定の間隔で配置した点である。ここでは、両トナー汚れ防止電極１１７，１１９は、いずれも帯電用高圧電源（図示せず）に共通に接続できる。その他の構成は第１の実施の形態の電子写真装置における電極１１７，１１９と同じである。
【００６１】
図８に示す露光装置は、基本的には第１の実施の形態の電子写真装置で使用された露光装置の動作と同じであるが、以下に、異なる点のみを説明する。
【００６２】
第１の実施の形態と同様に、転写後の静電潜像担持体１０１にトナー１０７が残留し、クリーニングローラで完全に残留トナー１０７が除去できず、帯電・露光部に残留トナー１０７が運搬されてくる。そのとき、帯電用高圧電源に接続され、露光装置１０４の露光光の光軸に対して互いに非対称な位置に設けられたトナー汚れ防止電極１１７とトナー汚れ防止電極１１９によって、露光装置１０４と静電潜像担持体１０１との間の電位分布を制御する。これによって、露光装置１０４のＳＬＡ１０４ａの表面がトナー汚れから防止できる。
【００６３】
たとえば、静電潜像担持体１０１上であって、帯電装置側（図８の左側）のトナー汚れ防止電極１１７は元の位置で固定し、現像装置側（図８の右側）のトナー汚れ防止電極１１９を静電潜像担持体１０１に２〜３［mm］近づける。この時に、一対の電極１１７，１１９に帯電用高圧電源からの−１３５０［Ｖ］の電圧を印加すると、電界は光軸に対してほぼ４５度傾いて形成される。そこで、残留トナー１０７が露光装置１０４の方向に飛翔しても、４５度傾いて形成された電界により斜め方向に向うので、露光装置１０４のＳＬＡ１０４ａには付着しない。したがって、実施の形態１、２のように電極配置が対称であって、それらに不適正な電圧が印加された場合と比較すると、露光装置１０４のトナー汚れが防止でき、露光装置１０４の光量低下および印字品位の低下を防止できる。
【００６４】
第１の実施の形態の場合には、トナー汚れ防止電極１１７，１１９を露光装置１０４の光軸に対して１〜２［mm］離して対称に位置させ、いずれにも−１３５０［Ｖ］の電圧を印加した場合は、露光装置１０４と静電潜像担持体１０１間の電界は光軸に対して平行に形成され、露光装置１０４の方向にトナー１０７が飛翔し、露光装置１０４が残留トナー１０７で汚れてしまう。
【００６５】
これに対して、実施の形態３ではトナー汚れ防止電極１１７，１１９に共通する−１３５０［Ｖ］の電圧を印加するだけで、第１の実施の形態の表１で示す第６、第７例の場合と同様に、露光装置１０４がトナー１０７で汚れないような電界を形成できる。
【００６６】
なお、図１に示す帯電用高圧電源１０３の代わりに、新たに用意された外部高圧電源に接続しても、同様の結果が得られる。
【００６７】
以上、詳細に説明したように、この発明の実施の形態３では、既存の帯電装置電源１０３をトナー汚れ防止電極１１７，１１９と接続するとともに、これらの電極１１７，１１９を露光装置１０４の光軸に対して非対称の関係で配置したので、露光装置１０４と静電潜像担持体１０１との間の電位分布を制御することにより、露光装置１０４のトナー汚れが防止できた。
【００６８】
また、この実施の形態３は第１、第２の実施の形態と比較して、既存の１つの帯電装置電源を使用だけで良いから、低コスト化と小型化を図るうえで一層有利である。
【００６９】
【発明の効果】
この発明の請求項１〜３に記載した電子写真装置の発明によれば、安定した印字品質を維持できる。
【００７０】
更に、請求項３に記載した電子写真装置の発明によれば、簡単、かつ確実に、感光体表面に残留したトナーによる汚れを防止することができる。
【図面の簡単な説明】
【図１】  この発明の電極装置を有する電子写真装置を示す概略構成図である。
【図２】  電子写真装置の露光装置と静電潜像担持体との間の電位分布の実験例（第３例）を示す図である。
【図３】  電子写真装置の露光装置と静電潜像担持体との間の電気力線の実験例（第４例）を示す図である。
【図４】  電子写真装置の露光装置と静電潜像担持体との間の電気力線の実験例（第５例）を示す図である。
【図５】  この発明の電子写真装置の露光装置と静電潜像担持体との間の電気力線の実験例（第６例）を示す図である。
【図６】  従来の電子写真装置の露光装置と静電潜像担持体との間の電気力線を示す図である。
【図７】  この発明の別の電極装置を有する電子写真装置を示す概略構成図である。
【図８】  この発明の実施の形態３のトナー汚れ防止電極を示す概略構成図である。
【図９】  従来の露光装置の一例の概略を示す構成説明図である。
【符号の説明】
１０１  静電潜像担持体、  １０２  帯電装置、  １０２ａ  金属シャフ卜、１０２ｂ  半導電性ゴム層、  １０３  帯電用高圧電源、  １０４  露光装置、  １０４ａ  ＳＬＡ（セルフォックレンズ）、  １０５  現像装置、  １０６トナ一担持体、  １０７  トナー、  １０８  紙カセット、  １０９  記録紙、  １１０  給紙ロール、  １１１  一対の送紙ロール、  １１２  転写ローラ、  １１３  転写用高圧電源、  １１４  クリーニングローラ、  １１５  クリーニング用高圧電源、  １１６  定着装置、  １１６ａ  加圧ロール、  １１６ｂ  発熱ロール、  １１７  電極（Ｉ）、  １１８  外部高圧電源、  １１９  電極（II）、  １２０  外部高圧電源。
【図１】
0003998339.tif 000004
【図２】
0003998339.tif 000005
【図３】
0003998339.tif 000006
【図４】
0003998339.tif 000007
【図５】
0003998339.tif 000008
【図６】
0003998339.tif 000009
【図７】
0003998339.tif 000010
【図８】
0003998339.tif 000011
【図９】
0003998339.tif 000012